(57)【要約】【課題】  樹脂製試験管等の樹脂製容器内に大気とは別の気体組成物の導入を必要としない、低い大気圧下での樹脂製容器の内壁処理方法及び内壁処理装置を提供すること。【解決手段】  樹脂製容器１０の内壁表面を処理する方法であって、樹脂製容器１０の先端と開口端を、それぞれ陰極１１と陽極１２に接続する工程と、樹脂製容器１０内の大気の圧力を所定圧まで減圧する工程と、陰極１１と陽極１２との間に、所定電圧のパルス電圧を所定時間印加する工程とを含むことを特徴とする樹脂製容器の内壁処理方法。【選択図】図１
2015129311.tif 000002
【特許請求の範囲】
【請求項１】
容器の内壁表面を処理する方法であって、
前記容器の内部を挟んで対向する前記容器の一端と他端を、それぞれ陰極と陽極に接続する工程と、
前記容器内の大気の圧力を所定圧まで減圧する工程と、
前記陰極と前記陽極との間に、所定電圧のパルス電圧を所定時間印加する工程とを含むことを特徴とする容器の内壁処理方法。
【請求項２】
請求項１において、
前記容器の材質が、ポリスチレン、ポリプロピレン又はアクリルであることを特徴とする容器の内壁処理方法。
【請求項３】
請求項１及び２のいずれか１項において、
前記容器の処理の程度を、処理された前記容器に所定量の試験水を注入した後、該容器を水平状態にした際の前記試験水の伸びによって評価することを特徴とする容器の内壁処理方法。
【請求項４】
請求項３において、
前記試験水の伸びを、前記容器内の大気圧力、前記パルス電圧、前記電圧の印加時間によって制御することを特徴とする容器の内壁処理方法。
【請求項５】
請求項１乃至４のいずれか１項において、
前記容器が、樹脂製、金属製又はガラス製の試験管、ピペット又はシャーレであることを特徴とする容器の内壁処理方法。
【請求項６】
請求項１乃至５のいずれか１項において、
前記容器内の大気の圧力を所定圧まで減圧するとともに前記容器内にＡｒガスを導入することを特徴とする容器の内壁処理方法。
【請求項７】
複数の容器の内壁表面を処理する装置であって、
前記複数の容器の先端部が接触押圧される下部電極シートと、
前記下部電極シートの上に設置される前記複数の容器を保持するための保持手段と、
前記複数の容器の開口端部が接触押圧される上部電極シートと、
前記下部電極シート、前記保持手段、及び前記上部電極シートを収納する収納容器と、
前記容器内の大気の圧力を減圧する減圧手段と、
前記下部電極シートと前記上部電極シートとの間に、所定電圧を所定時間印加する電圧印加手段とを備えることを特徴とする容器の内壁処理装置。
【請求項８】
請求項７において、
前記容器が、樹脂製、金属製又はガラス製の試験管、ピペット又はシャーレであることを特徴とする容器の内壁処理装置。
【発明の詳細な説明】
【技術分野】
【０００１】
本発明は、試験管等の容器の内壁処理方法及び内壁処理装置に関する。
【背景技術】
【０００２】
一般に寒天培地とは、寒天を用いた培地を意味する。特に、寒天を約１．５％の濃度で加えて固化させた固形培地を意味する場合が多く、微生物や細胞を培養するために用いられる。用いる容器や、固化させた後の形状によって、平板培地、斜面培地、半斜面培地、高層培地に分類される。以下に、これらの培地について説明する。
【０００３】
（１）平面培地
シャーレを用いて作った固形培地で、微生物の分離や培養に最も広く用いられる培地の一つである。
【０００４】
（２）斜面培地
図１１（ａ）に示したように試験管７０内に斜面を作るように培地６０を固めた固形培地で、表面積が広く、また外部からの雑菌の混入を減らしやすいという特徴から、好気性の微生物を純粋培養し、保存するときに用いられる。
【０００５】
（３）半斜面培地
図１１（ｂ）に示したように試験管７０に入れた培地６０の上部の約三分の一から四分の一が斜面になった固形培地である。使用頻度は低いが、ＴＳＩ寒天培地など鑑別培養のための培地の一部が、半斜面培地として用いられる。
【０００６】
（４）高層培地
図１１（ｃ）に示したように試験管７０を直立させた状態で培地６０を固めた半流動培地又は固形培地である。半流動高層培地は、好気性から嫌気性まで、幅広い微生物の純粋培養と保存に繁用される他、病院で患者から得られた検査材料を直接、穿刺して輸送や培養を行うことがある。また鑑別培養に用いる場合、高層の上面部分と底部の酸素濃度の違いを利用して、その微生物の酸素要求性を検討したり、運動性のある微生物が半流動培地中を泳いで広がることを利用して、微生物の運動性を検討するために用いられる。固形高層培地としては鑑別培養に用いられるものに一部見られるが、その例は少ない。
【０００７】
なお、斜面培地、半斜面培地及び高層培地では、通常ガラス製の試験管７０が用いられるが、割れやすく樹脂等と比較して重いという課題があった。そこで、近年ポリスチレン（ＰＳ）、ポリプロピレン（ＰＰ）、アクリル等の材料で作製された試験管を培地用の試験管として使用したいという要望が強くなりつつある。
【０００８】
しかし、上記したポリスチレン、ポリプロピレン、アクリル等の材料で作製された試験管は、ガラス製の試験管と比較して親水性が劣るという課題があった。即ち、寒天が加えられた水溶液を上記の樹脂製試験管に入れて傾けたとしても、十分に斜面を形成することができず、斜面培地や半斜面培地を形成することができないという問題があった。
【０００９】
また、例えば特許文献１には、従来のプラズマ反応装置を必要とせず、特殊な大気圧プラズマ表面処理方法を用いることにより、水や溶媒を全く使用せず、ゴミの混入の恐れもなく常温常圧下で短時間に、表面処理を連続的にかつ簡便に行うことが可能な容器内面のプラズマ処理方法が開示されている。
【先行技術文献】
【特許文献】
【００１０】
【特許文献１】特開平０５−２６９３７０号公報
【発明の概要】
【発明が解決しようとする課題】
【００１１】
しかし、上記特許文献１の容器内面のプラズマ処理方法では、樹脂製の容器内面の親水性すなわち濡れ性は改善されるものの、容器内に例えばアルゴン、ヘリウム、ケトン等の気体組成物を導入した後、大気圧下でグロー放電を行わなければならなかった。すなわち、大気以外の気体組成物が必要であった。
【００１２】
本発明は、上記課題を解決するためになされたものであり、試験管等の容器内に大気とは別の気体組成物の導入を必要としない、低い大気圧下での容器の内壁処理方法及び内壁処理装置を提供することを目的とする。
【課題を解決するための手段】
【００１３】
〔発明１〕  上記目的を達成するために、発明１の容器の内壁処理方法は、
容器の内壁表面を処理する方法であって、
前記容器の内部を挟んで対向する前記容器の一端と他端を、それぞれ陰極と陽極に接続する工程と、
前記容器内の大気の圧力を所定圧まで減圧する工程と、
前記陰極と前記陽極との間に、所定電圧のパルス電圧を所定時間印加する工程とを含むことを特徴とする。
【００１４】
〔発明２〕  さらに、発明２の容器の内壁処理方法は、発明１の容器の内壁処理方法において、
前記容器の材質が、ポリスチレン、ポリプロピレン又はアクリルであることを特徴とする。
【００１５】
〔発明３〕  さらに、発明３の容器の内壁処理方法は、発明１及び２のいずれか１の容器の内壁処理方法において、
前記容器の処理の程度を、処理された前記容器に所定量の試験水を注入した後、該容器を水平状態にした際の前記試験水の伸びによって評価することを特徴とする。
【００１６】
〔発明４〕  さらに、発明４の容器の内壁処理方法は、発明３の容器の内壁処理方法において、
前記試験水の伸びを、前記容器内の大気圧力、前記パルス電圧、前記電圧の印加時間によって制御することを特徴とする。
【００１７】
〔発明５〕  さらに、発明５の容器の内壁処理方法は、発明１乃至４のいずれか１の容器の内壁処理方法において、
前記容器が、樹脂製、金属製又はガラス製の試験管、ピペット又はシャーレであることを特徴とする。
【００１８】
〔発明６〕  さらに、発明６の容器の内壁処理方法は、発明１乃至５のいずれか１の容器の内壁処理方法において、
前記容器内の大気の圧力を所定圧まで減圧するとともに前記容器内にＡｒガスを導入することを特徴とする。
【００１９】
〔発明７〕  一方、上記目的を達成するために、発明７の容器の内壁処理装置は、
複数の容器の内壁表面を処理する装置であって、
前記複数の容器の先端部が接触押圧される下部電極シートと、
前記下部電極シートの上に設置される前記複数の容器を保持するための保持手段と、
前記複数の容器の開口端部が接触押圧される上部電極シートと、
前記下部電極シート、前記保持手段、及び前記上部電極シートを収納する収納容器と、
前記容器内の大気の圧力を減圧する減圧手段と、
前記下部電極シートと前記上部電極シートとの間に、所定電圧を所定時間印加する電圧印加手段とを備えることを特徴とする。
【００２０】
〔発明８〕  さらに、発明８の容器の内壁処理装置は、発明７の容器の内壁処理装置において、
前記容器が、樹脂製、金属製又はガラス製の試験管、ピペット又はシャーレであることを特徴とする。
【発明の効果】
【００２１】
以上説明したように、発明１の容器の内壁処理方法、又は発明７の容器の内壁処理装置によれば、容器の内壁表面について親水性を改善することができるとともに滅菌効果を得ることができる。
【００２２】
さらに、発明６の容器の内壁処理方法によれば、容器内に大気とは別の気体組成物を導入しない場合よりも短い処理時間で滅菌効果を得ることができる。
【図面の簡単な説明】
【００２３】
【図１】実施例１の低大気圧プラズマ発生装置の構成を示す図である。
【図２】実施例１のプラズマ点灯試験の結果を示す表である。
【図３】実施例１の設定圧力を変化させた場合の親水性試験の結果を示すグラフである。
【図４】実施例１の設定圧力を変化させた場合の親水性試験の結果を示す図である。
【図５】実施例１の設定電圧を変化させた場合の親水性試験の結果を示すグラフである。
【図６】実施例１の印加時間を変化させた場合の親水性試験の結果を示すグラフである。
【図７】実施例２の低大気プラズマ発生装置の構成を示す図である。
【図８】実施例２の樹脂製シャーレ５２の内壁表面を改質する構成を示す図である。
【図９】実施例３の目視観察の結果を示す表である。
【図１０】実施例３の定量測定の結果を示すグラフである。
【図１１】従来の種々の培地を説明するための図である。
【発明を実施するための形態】
【００２４】
本発明を実施するための形態を、図面を参照しつつ以下に説明する。
【実施例１】
【００２５】
本実施例は、樹脂製容器の一種である樹脂製試験管１０の内壁を１気圧より低い圧力の大気のプラズマ（以下、「低大気圧プラズマ」という）によって改質し、内壁表面の親水性を改善することを要旨とする。樹脂製試験管１０の内壁の親水性が改善されることにより、樹脂製試験管１０であっても、斜面培地・半斜面培地を容易に形成することができる。
【００２６】
以下では、種々の条件下で樹脂製試験管１０内に低大気圧プラズマを発生させるが、その基本的な装置の構成を図１に示す。まず、樹脂製試験管１０底面の先端側を陽極部１１に接触させ、開口部側を陰極部１２に接触させる。陽極部１１と陰極部１２との間には、数ｋ〜数十ｋｖの直流パルス電圧を電源１４によって印加する。直流パルス電圧の周波数は、本実施例の場合１０ｋＨｚとする。また、陰極部１２が設けられた樹脂製試験管１０の開口部には排気管１３が接続されている。この排気管１３を介して、樹脂製試験管１０内部の大気が吸引されて樹脂製試験管１０内部の圧力が低下する。なお、排気管１３は真空計にも接続されており、樹脂製試験管１０内部の圧力を検出できるように構成されている。以下に、設定条件を種々変化させた場合のプラズマ点灯試験及び親水性試験について述べる。
【００２７】
［プラズマ点灯試験］
まず、設定電圧の印加時間を５秒に固定して、種々の設定電圧及び設定圧力のもとで樹脂製試験管１０内にプラズマが発生するか否かを確認するプラズマ点灯試験を実施した。
【００２８】
試験結果を図２に示す。図２において、「○」はプラズマが発生したことを示し、「×」はプラズマが発生しなかったことを示す。図２から、設定電圧が２ｋＶでは大気の圧力が７Ｐａ〜２．７ｋＰａの範囲で全くプラズマが発生しなかった。また、設定電圧が１３ｋＶ以上では７Ｐａ〜２．７ｋＰａの範囲ですべてプラズマが発生した。そして、設定電圧が６ｋＶでは８００Ｐａでは点灯（プラズマ発生）し、１．５ｋＰａでは点灯しなかった。更に、設定電圧が１０ｋＶでは１．５ｋＰａでは点灯し、２．０ｋＰａでは点灯しなかった。
【００２９】
設定電圧はできる限り低いほうが有利である。例えば、設定電圧が１０ｋＶの場合、大気の圧力は２．０ｋＰａまで減圧する必要がある。１標準大気圧は、１０１．３２５ｋＰａであるため、かなり低圧にする必要がある。言い方を変えれば、設定電圧が１０ｋＶであれば、１気圧ではプラズマが発生しない。本発明の要旨は、他のガスを入れずに樹脂製試験管１０内を減圧して所定の電圧を印加するだけでプラズマを発生させ、樹脂製試験管１０内の内壁を改質することである。従って、プラズマが発生する圧力と設定電圧のデータを事前に得ておくことが重要である。
【００３０】
［設定圧力毎の親水性試験］
本親水性試験では、設定電圧を１０ｋＶ、印加時間を５秒間として、樹脂製試験管１０内の大気の圧力を種々変化させて親水性を測定した。親水性は、電圧の印加が終了した試験管にメチレンブルーが添加されたチェック液を２ｍｌ入れた後、水平に樹脂製試験管１０を倒して数回静かに回転させて、チェック液の伸びた長さで評価した。
【００３１】
試験条件として、低大気圧プラズマ処理をしない（以下、「未処理」という）樹脂製試験管１０、設定圧力が５Ｐａ〜１０００Ｐａの８本の樹脂製試験管１０について親水試験を実施した。図３に試験結果のグラフを、図４に試験結果の図を示す。図４（ａ）は未処理の試験管のチェック液２０の伸びが３８ｍｍであること、図４（ｂ）は５Ｐａの低大気圧の樹脂製試験管１０のチェック液の伸びが３６ｍｍであること、図４（ｃ）は２００Ｐａの低大気圧の樹脂製試験管１０のチェック液２０の伸びが８７ｍｍであること、図４（ｄ）は１０００Ｐａ（１ｋＰａ）の低大気圧の樹脂製試験管１０のチェック液２０の伸びが５８ｍｍであることを示している。チェック液２０の伸びは、２００Ｐａ近辺までは増加傾向にあり（図３）、その後樹脂製試験管１０内の設定圧力を増すと逆にチェック液２０の伸びは小さくなることが分かった。
【００３２】
［設定電圧毎の親水性試験］
本親水性試験では、樹脂製試験管１０内の設定圧力を２０Ｐａで一定とし、印加時間も５秒間で一定とした。そして、印加電圧を６ｋＶ〜２２ｋＶまで変動させて親水性を測定した。親水性の測定は上記した測定と同様の方法であり、測定結果を図５に示す。
【００３３】
測定結果から、親水性は設定電圧が増加するのに比例して、略直線的に比例していることが分かる。具体的には、設定電圧６ｋＶでチェック液２０の距離は３８ｍｍであったものが、２２ｋＶでチェック液２０の距離は９６ｍｍとなり大きく伸びることがわかった。
【００３４】
［印加時間毎の親水性試験］
本親水性試験では、樹脂製試験管１０内の設定圧力を２０Ｐａで一定とし、印加電圧も１０ｋＶで一定とした。そして、印加時間を１０秒〜１２０秒まで変動させて親水性を測定した。親水性の測定は、上記した測定と同様の方法であり、測定結果を図６に示す。
【００３５】
測定結果から、親水性は印加時間が増加すると増加傾向にはあるものの、大きく増加することはなかった。印加時間５秒で検査液の距離は３９ｍｍであり、印加時間が１２０秒で検査液の距離は４８ｍｍであった。印加時間が増加してもチェック液の伸びはさほど増加しないことが分かる。
【００３６】
以上の試験結果より、樹脂製容器の一種である樹脂製試験管１０の内壁は、内部の大気圧を充分に下げた状態で低大気圧プラズマを発生させることにより、親水性が大幅に改善され、この樹脂製試験管１０により斜面培地、半斜面培地を容易に形成することができることを確認することができた。なお、上記内壁が改質された樹脂製試験管１０では、改質されない樹脂製試験管１０と比較して、樹脂製試験管１０の内壁が滅菌されていることも確認することができた。
【００３７】
本実施例によれば、樹脂製試験管１０等の樹脂製容器内に大気とは別の気体組成物の導入を必要としない、低い大気圧下で樹脂製容器の内壁表面の親水性を改善することができる。
【実施例２】
【００３８】
本実施例は、一度に複数の樹脂製試験管１０の内壁を低大気圧プラズマによって改質し、内壁表面の親水性を改善するための装置に関するものである。
【００３９】
上記装置は図７（ａ）に示したように、下容器３２と上蓋３１によって構成されている収納容器３０を有している。この収納容器３０の内部に複数の樹脂製試験管１０を入れて、排気により樹脂製試験管１０の内部を減圧した後にプラズマ放電を行い、複数の樹脂製試験管１０の内壁の改質を同時に行う。従って、収納容器３０の内部を従来のように減圧する必要は全くなく、装置としては極めて簡単な構造である。
【００４０】
収納容器３０の底部には板状の下部電極４２とその上に下部吸着マット４３が設置されており、その上に樹脂製試験管１０が複数設置される。樹脂製試験管１０の先端は下部吸着マット４３に接触するように設置される。一方、上蓋３１の下部には上部吸着マット４１が設置され、その上部に上部電極４０が設置されている。上部吸着マット４１と上部電極４０には、樹脂製試験管１０に対応する位置に貫通孔３４がそれぞれ形成されている（図７（ｃ））。また、上蓋３１には排気管３３が接続されており、上蓋３１を下降させて下容器３２と密着させた後、樹脂製試験管１０の内部の空気を排気管３３を通して排気する。この場合、収納容器３０の内部を排気する必要はない。
【００４１】
樹脂製試験管１０の内部が所定の圧力になった後、下部電極４２と上部電極４０との間に所定の電圧を印加して樹脂製試験管１０内に低大気圧プラズマを発生させる。低大気圧プラズマＰが発生している状態を、模式的に図７（ｂ）に示す。低大気圧プラズマＰは、すべての樹脂製試験管１０で同時に発生することになる。低大気圧プラズマＰを所定時間発生させた後、上蓋３１を上昇させ内部の樹脂製試験管１０を取り出して作業は終了する。
【００４２】
なお、樹脂製容器として樹脂製試験管１０のみではなく、図７（ｄ）に示したように、例えば、複数の樹脂製ピペット５０を同様に処理して、樹脂製ピペット５０の内壁の親水性を向上させることができた。
【００４３】
また、樹脂製試験管１０及び樹脂製ピペット５０のみではなく、図８に示すように、例えば、複数の樹脂製シャーレ５２を同様に処理して、樹脂製シャーレ５２の内壁の親水性を向上させることができた。ただし、樹脂製シャーレ５２の場合、上部の貫通孔３４からのみ排気して樹脂製シャーレ５２内を減圧すると、樹脂製シャーレ５２の底面が大気圧により破損又は変形してしまうことがある。そこで、下部吸着マット４３及び下部電極４２において貫通孔３４に対向する位置に貫通孔３４を形成し、下部の貫通孔３４からも同時に排気して減圧する。これにより、樹脂製シャーレ５２の底面が破損又は変形することを防止することができる。
【００４４】
本実施例によれば、樹脂製試験管１０等の樹脂製容器内に大気とは別の気体組成物の導入を必要としない、低い大気圧下で樹脂製容器の内壁表面の親水性を改善することができる。
【実施例３】
【００４５】
本実施例は、樹脂製試験管１０の内壁を低大気圧プラズマによって処理し、内壁表面を滅菌することを要旨とする。
【００４６】
試験は、（１）菌付試験管の作製、（２）低大気圧プラズマ処理、（３）培地の投入、（４−１）目視観察、（４−２）定量測定をその順序で行う。
【００４７】
［（１）菌付試験管の作製］
樹脂製試験管１０の内壁表面に黄色ブドウ球菌を付着させ、黄色ブドウ球菌付きの樹脂製試験管１０を作製する。１試験条件につき５本の樹脂製試験管１０を作製する。
【００４８】
［（２）低大気圧プラズマ処理］
試験条件１は、設定圧力を４００〜６００Ｐａ、設定電圧を８０Ｖとし、処理時間を５分、１０分、１５分又は２０分の範囲で変化させる。また、樹脂製試験管１０内に大気とは別の気体組成物を導入しない真空引きのみを行った場合（以下単に「真空引きのみ」という。）と、樹脂製試験管１０内を減圧するとともに樹脂製試験管１０内にＡｒガスを導入した場合（以下単に「Ａｒガス導入」という。）についてそれぞれ試験条件を設定する。そして、実施例１と同様の低大気圧プラズマ処理方法により、試験条件１で樹脂製試験管１０の内壁表面を処理する。
【００４９】
試験条件２は、設定圧力を４００〜６００Ｐａ、設定電圧を１００Ｖとし、処理時間を５分、１０分、１５分又は２０分の範囲で変化させる。また、真空引きのみの場合と、Ａｒガス導入の場合についてそれぞれ試験条件を設定する。そして、実施例１と同様の低大気圧プラズマ処理方法により、試験条件２で樹脂製試験管１０の内壁表面を処理する。
【００５０】
［（３）培地の投入］
低大気圧プラズマ処理された樹脂製試験管１０内に普通ブイヨン培地を投入する。
【００５１】
［（４−１）目視観察］
培地を投入してから２４時間経過後に黄色ブドウ球菌が存在しているか目視で確認する。黄色ブドウ球菌が存在していない樹脂製試験管１０は、培地が透明のままとなるが、黄色ブドウ球菌が存在する樹脂製試験管１０は、培地が白濁化する。したがって、樹脂製試験管１０を目視で観察し、培地が透明の場合は、黄色ブドウ球菌が存在しない（滅菌ＯＫ）と判断し、培地が白濁の場合は、黄色ブドウ球菌が存在する（滅菌ＮＧ）と判断する。
【００５２】
試験条件ごとに、培地が投入された５本の樹脂製試験管１０のうち２本について目視観察を行った。目視観察の結果は、図９に示すように、試験条件１の真空引きの場合、処理時間が短い順に、滅菌ＯＫの件数が「０」「０」「０」「１」となり、滅菌ＮＧの件数が「２」「２」「２」「１」となった。また、試験条件１のＡｒガス導入の場合、処理時間が短い順に、滅菌ＯＫの件数が「０」「０」「１」「２」となり、滅菌ＮＧの件数が「２」「２」「１」「０」となった。これらの結果を対比すると、真空引きの場合は、処理時間が２０分程度で滅菌効果が現れるが、Ａｒガス導入の場合は、真空引きの場合よりも短い１５分程度で滅菌効果が現れることが分かる。
【００５３】
また、試験条件２の真空引きの場合、処理時間が短い順に、滅菌ＯＫの件数が「１」「０」「２」「２」となり、滅菌ＮＧの件数が「１」「２」「０」「０」となった。また、試験条件２のＡｒガス導入の場合、処理時間が短い順に、滅菌ＯＫの件数が「１」「２」「２」「２」となり、滅菌ＮＧの件数が「１」「０」「０」「０」となった。これらの結果を対比すると、真空引きの場合は、処理時間が１５分程度で滅菌効果が現れるが、Ａｒガス導入の場合は、真空引きの場合よりも短い１０分程度で滅菌効果が現れることが分かる。また、設定電圧が８０Ｖよりも１００Ｖの方が、滅菌効果が現れる処理時間が短いことも分かる。
【００５４】
［（４−２）定量測定］
試験条件ごとに、培地が投入された５本の樹脂製試験管１０のうち３本について定量測定を行った。定量測定は、インダイレクト法により行った。インダイレクト法とは、電気伝導度の増減から菌量の増減を測定する方法であって、生物の代謝に伴い発生する二酸化炭素と、測定に使用する水酸化ナトリウム（０．０１ｍｏｌ／Ｌ）との反応による電気伝導度変化の度合いから、菌量を判断する方法である。
【００５５】
定量測定の結果は、図１０に示すように、インダイレクト法で２４時間の測定から得られたデータで、相対的な菌量の減少を数値化したものである。同一の試験条件で試験を３回実施し、そこから得られた平均値をグラフにプロットしている。なお、図１０では、得られた測定値の範囲を縦線で示している。また、図１０（ａ）（ｂ）は、試験条件２について得られた結果である。
【００５６】
菌数が１０-6個／ｍｌ以下である場合に滅菌ＯＫと評価することができる。真空引きの場合とＡｒガス導入の場合を対比すると、真空引きの場合は、処理時間が１５分程度で滅菌効果が現れるが、Ａｒガス導入の場合は、真空引きの場合よりも短い１０分程度で滅菌効果が現れることが分かる。この結果は、目視観察の結果と一致する。また、全体として、Ａｒガスを導入することにより短い処理時間で菌数が減っていることが確認された。
【００５７】
本実施例によれば、樹脂製試験管１０等の樹脂製容器の内壁表面を滅菌することができる。また、Ａｒガス導入の場合は、真空引きの場合よりも短い処理時間で滅菌効果を得ることができる。
【００５８】
〔変形例〕
なお、上記実施例１〜３においては、樹脂製の試験管１０、ピペット５０又はシャーレ５２の内壁を処理したが、これに限らず、金属製、ガラス製その他の材質の容器の内壁を同様に処理することにより、親水性の改善及び滅菌効果を得ることができる。
【００５９】
また、上記実施例３及びその変形例においては、実施例１と同様の内壁改質方法により樹脂製試験管１０の内壁表面を処理したが、これに限らず、実施例２と同様の内壁改質装置により樹脂製試験管１０の内壁表面を処理することもできる。
【００６０】
また、上記実施例１、３及びその変形例においては、樹脂製容器１０の先端を陽極１２に、樹脂製容器１０の開口端を陰極１１にそれぞれ接続したが、これに限らず、極性を逆にしてもよい。また、電極の接続箇所は、樹脂製容器１０の先端と開口端に限らず、樹脂製容器１０の内部を挟んで対向した位置であれば、樹脂製容器１０の一端と他端を、それぞれに陰極１１と陽極１２に接続すればよい。上記実施例２及びその変形例についても同様である。
【００６１】
また、上記実施例１、２においては、真空引きの場合のみを説明したが、これに限らず、実施例３と同様に減圧時にＡｒガスを導入してもよい。
【符号の説明】
【００６２】
１０    樹脂製試験管
１１    陽極部
１２    陰極部
１３    排気管
１４    電源
２０    チェック液
３０    収納容器
３１    上蓋
３２    下容器
３３    排気管
３４    貫通孔
４０    上部電極
４１    上部吸着マット
４２    下部電極
４３    下部吸着マット
５０    樹脂製ピペット
６０    培地
７０    試験管
Ｐ      低大気圧プラズマ
【図１】
2015129311.tif 000003
【図２】
2015129311.tif 000004
【図３】
2015129311.tif 000005
【図４】
2015129311.tif 000006
【図５】
2015129311.tif 000007
【図６】
2015129311.tif 000008
【図７】
2015129311.tif 000009
【図８】
2015129311.tif 000010
【図９】
2015129311.tif 000011
【図１０】
2015129311.tif 000012
【図１１】
2015129311.tif 000013